(57)【要約】      （修正有）【課題】タクシーのドアキャッチ部を含むドア部の広範囲又は全体に容易に貼着することができるタクシー用広告シートを提供する。【解決手段】タクシー用広告シート１０は、ドア部２、３表面のドアキャッチ部４、４より下側部分を覆うシート本体１１を備え、シート本体１１には、ドアキャッチ部４の位置に形成された本体切り欠き部１３が形成され、シート本体１１の縁部をドア部２、３表面の縁部の位置に合わせるとともに、本体切り欠き部１３をドアキャッチ部４の位置に合わせてドア部２、３表面に貼着されるようにしたことによって、ドア部２、３を傷つけることなく効率よく広告シートを貼着することができる。【選択図】図１
0003233091.tif 000002
【実用新案登録請求の範囲】
【請求項１】
車両のドア部表面に貼着されるタクシー用広告シートにおいて、
前記ドア部表面のドアキャッチ部より下側部分を覆うシート本体を備え、該シート本体に前記ドアキャッチ部の位置に合わせて本体切り欠き部が形成され、前記シート本体の縁部を前記ドア部表面の内部の位置に合わせるとともに、前記本体切り欠き部を前記ドアキャッチ部の位置に合わせて前記ドア部表面に貼着されるようにしたことを特徴とするタクシー用広告シート。
【請求項２】
前記ドア部表面のドアキャッチ部より上側部分を覆う上部シートを備え、該上部シートは、前記ドアキャッチ部の位置に形成された上部シート切り欠き部を備え、上縁を前記ドア部表面の下縁の位置に合わせるとともに、前記上部シート切り欠き部を前記ドアキャッチ部の位置に合わせ、下縁部及び前記上部シート切り欠き部をそれぞれ前記シート本体の上縁部及び前記本体切り欠き部に重ね合わせて前記ドア部表面に貼着されるようにした請求項１に記載のタクシー用広告シート。
【請求項３】
前記ドア部表面に記載された義務表示と同様の記載が印刷されている請求項１又は２に記載のタクシー広告用シート。
【請求項４】
再剥離可能な接着剤によって前記ドア部に貼着されている請求項１〜３の何れか一に記載のタクシー広告用シート。
【請求項５】
縁部に位置決め用目印が印刷されている請求項１〜４の何れか一に記載のタクシー広告用シート。
【考案の詳細な説明】
【技術分野】
【０００１】
本発明は、タクシーの主に側面のドア部に貼着して使用するタクシー用広告シートに関する。
【背景技術】
【０００２】
移動広告の手段として、車両のドア部表面に広告を表示することが広く知られており、特に、タクシーは、街中を走行している台数が多く、目に留まり易いことから、移動広告の媒体として注目されている。
【０００３】
従来、車両のドア部表面に広告を表示するには、ドア部に強粘着性の接着剤によって広告シートを貼着することが一般的であったが、広告は期間毎に変更する場合が多く、この強粘着性の接着剤による広告シートを剥がすと、広告シートとともに車体の塗装が剥離するおそれがあり、補修が必要となるという問題があった。
【０００４】
そこで、車両のドア部表面に広告を表示したシート部材を再剥離可能な粘着剤や磁石によって貼着する表示方法が考案されている（例えば、特許文献1及び２を参照）。
【先行技術文献】
【特許文献】
【０００５】
【特許文献１】特開２００４−１３８７５９号公報
【特許文献２】特開２００１−００５３９５号公報
【考案の概要】
【考案が解決しようとする課題】
【０００６】
一般に、移動広告としては、その表示面積が大きいほど広告効果が大きく、ドア部表面の広い範囲又は全体に広告を表示することが望まれる。
【０００７】
タクシー１は、図４に示すように、ドア部２，３の表面にドア部２，３を開くためのドアキャッチ部４，４が備えられており、ドアキャッチ部４，４を含むドア部２，３の広い範囲又は全体に広告シートを貼着する場合、広告シートを貼着した後、ドアキャッチ部４，４の縁に沿って広告シートを職人の手によってカッター等で切断する必要があった。
【０００８】
また、車両のドア部２，３は、断面が膨出する等の起伏があり、広告シートを貼着する際の位置決めが難しく、全体を一の広告シートで覆うことが困難であり、必要に応じて広告シートを貼着した後、縁部を職人の手によってカッター等で切断する必要等がある。
【０００９】
よって、このような広告シートを貼着する作業には、熟練を要するとともに煩雑であるため作業効率が悪いという問題があり、また、カッター等で車体の表面を傷つけてしまうおそれがあった。
【００１０】
また、タクシー１では、自治体等によってタクシー事業者として必要な表示、例えば、「事業者名」、「ＴＡＸＩ（タクシー）」、「禁煙（禁煙マーク）」等の表示（以下、義務表示という）５をドア部２，３に記載することが義務付けられている場合が多くある。
【００１１】
これらの義務表示５は、一般にドア部２，３の表面にカッティングシートによって表示されており、広告シートでこれらの義務表示５を覆ってしまうと義務表示５が表示できなくなるため、義務表示５が記載された位置によっては広告を表示できる面積が大きく制限されるという問題があった。
【００１２】
そこで、本考案は、上述の如き従来の問題に鑑み、タクシーのドアキャッチ部を含むドア部の広範囲又は全体に容易に貼着することができるタクシー用広告シートの提供を目的とする。
【課題を解決するための手段】
【００１３】
請求項１に記載の考案の特徴は、車両のドア部表面に貼着されるタクシー用広告シートにおいて、前記ドア部表面のドアキャッチ部より下側部分を覆うシート本体を備え、該シート本体に前記ドアキャッチ部の位置に合わせて本体切り欠き部が形成され、前記シート本体の縁部を前記ドア部表面の内部の位置に合わせるとともに、前記本体切り欠き部を前記ドアキャッチ部の位置に合わせて前記ドア部表面に貼着されるようにしたことにある。
【００１４】
請求項２に記載の考案の特徴は、請求項１の構成に加え、前記ドア部表面のドアキャッチ部より上側部分を覆う上部シートを備え、該上部シートは、前記ドアキャッチ部の位置に形成された上部シート切り欠き部を備え、上縁を前記ドア部表面の下縁の位置に合わせるとともに、前記上部シート切り欠き部を前記ドアキャッチ部の位置に合わせ、下縁部及び前記上部シート切り欠き部をそれぞれ前記シート本体の上縁部及び前記本体切り欠き部に重ね合わせて前記ドア部表面に貼着されるようにしたことにある。
【００１５】
請求項３に記載の考案の特徴は、請求項１又は２の構成に加え、前記ドア部表面に記載された義務表示と同様の記載が印刷されている
【００１６】
請求項４に記載の考案の特徴は、請求項１〜３の何れか一の構成に加え、再剥離可能な接着剤によって前記ドア部に貼着されていることにある。
【００１７】
請求項４に記載の考案の特徴は、請求項１〜４の何れか一の構成に加え、縁部に位置決め用目印が印刷されていることにある。
【考案の効果】
【００１８】
本考案に係るタクシー用広告シートは、請求項１の構成を具備することによって、ドア部表面の広範囲に亘って広告シートを貼着する場合において位置決めや貼着が容易となり、作業時間の短縮を図ることができる。また、予めドアキャッチ部の位置に切り欠き部が設けられているので、貼着後にカッターでドアキャッチ部のシートを切り取る必要がなく、カッター等で車体表面を傷つけることを防止することができる。
【００１９】
また、本考案において、請求項２の構成を具備することによって、ドア部全体に広告シートを貼着することができるとともに、シート本体との境界部分を美麗に仕上げることができ、シート本体と上部シートとの重複部分も少なくすることができる。
【００２０】
さらに、本考案において、請求項３の構成を具備することによって、既存の義務表示の位置によって広告可能な範囲が制限されず、自由度の高い広告を表示することができる。
【００２１】
さらにまた、本考案において、請求項４の構成を具備することによって、広告シートの貼着及び剥離を容易に行うことができる。
【００２２】
また、本考案において、請求項５の構成を具備することによって、広告シートを容易に位置合わせすることができる。
【図面の簡単な説明】
【００２３】
【図１】本考案に係るタクシー用広告シートを用いたタクシーの一例を示す側面図である。
【図２】図１中のタクシー用広告シートを示す拡大分解側面図である。
【図３】（ａ）〜（ｃ）は、本考案に係るタクシー用広告シートの貼着作業の手順を示す部分拡大側面図である。
【図４】一般的なタクシーの一例を示す側面図である。
【考案を実施するための形態】
【００２４】
次に、本考案に係るタクシー用広告シートの実施態様を図１〜図３に基づいて説明する。尚、図中符号１はタクシー、符号１０はタクシー用広告シートである。また、上述の従来例と同様の構成には同一符号を付して説明する。
【００２５】
タクシー１は、車両側面に開閉可能な前席ドア部２及び後席ドア部３を備え、この前席ドア部２及び後席ドア部３の表面にタクシー用広告シート（以下、広告シートという）１０が貼着され、広告シート１０によって移動広告手段として機能している。
【００２６】
ドア部２，３は、車両本体にヒンジを介して開閉可能に支持されたドア部本体を備え、ドア部本体の上縁に沿ってフェンダー６が設けられるとともに、ドア部本体表面にドア部２，３を開くためのドアキャッチ部４が設けられている。
【００２７】
また、ドア部本体には、図４に示す従来例と同様に、表面に「事業者名」、「ＴＡＸＩ（タクシー）」、「禁煙（禁煙マーク）」等の表示（以下、義務表示）５がカッティングシートによって表示されている。
【００２８】
広告シート１０は、図２に示すように、ドア部表面のドアキャッチ部４より下側部分を覆うシート本体１１と、ドア部表面のドアキャッチ部４より上側部分を覆う上部シート１２とを備え、ドア部本体全体が広告シート１０によって覆われている。
【００２９】
尚、本実施例では、広告シート１０をシート本体１１と上部シート１２とによって構成し、ドア部本体全体を覆う場合について説明するが、広告シート１０は、シート本体１１のみで構成し、ドア部本体のドアキャッチ部４より下側のみを覆うようにしてもよい。
【００３０】
シート本体１１は、合成樹脂からなるシート基材と、シート基材の裏面に形成された接着剤層とを備え、車両の仕様や予め実測された寸法に基づいて、平面プロッター等の裁断手段によって貼着後に切り離す余剰部分１１ａ，１１ａを含め、ドアキャッチ部４より下側全体を覆う形状に形成されている。
【００３１】
また、シート本体１１は、上縁部のドアキャッチ部４の位置に本体切り欠き部１３が形成され、シート貼着後にドアキャッチ部４に沿ってシートを切り取る必要がない。
【００３２】
本体切り欠き部１３は、シート本体１１の被覆範囲やドアキャッチ部４の形状に合わせて、上側が開口した凹状に形成されている。
【００３３】
シート基材は、塩化ビニル系、ポリオレフィン系等の合成樹脂によってシート状に形成され、表面に着色背景及び広告表示１４が印刷されるとともに、表面がラミネートフィルムによって被覆されている。
【００３４】
また、シート基材には、所定の位置(本実施例では、上縁部の両端部)に位置決め用の目印１７，１７が印刷されている。位置決め用の目印１７，１７の態様は、特に限定されないが、例えば、本実施例のように所謂トンボ（目印用の十字線）を設けるようにしてもよい。
【００３５】
接着剤層は、再剥離性可能な微粘着性を有するアクリル系、ウレタン系等の接着剤にて構成され、貼着後にシート本体１１をドア部本体から容易に剥がすことができ、広告シート１０の貼り換え作業等を効率よく行うことができる。
【００３６】
また、このような再剥離可能な接着剤を用いることによって、広告シート１０を剥がした際のドア部本体への接着剤の残存、ドア部本体の塗装の剥離及び汚れを防止することができる。
【００３７】
尚、接着剤層の裏面（シート基材とは反対側の面）には、剥離シートが貼り合わされ、ドア部本体に貼着する際に剥離シートを接着剤層から剥離させるようになっている。
【００３８】
このシート本体１１をドア部２，３に貼着するには、図３（ｂ）に示すように、位置決め用目印１７，１７をドア部２の両側縁部の位置に合わせることによって、本体切り欠き部１３の位置がドアキャッチ部４の位置に合わせられ、その状態でシート本体１１をドア部２，３の表面に貼着し、必要に応じて余剰部分１１ａをドア部２，３の縁部に沿って切断する。
【００３９】
上部シート１２は、合成樹脂からなるシート基材と、シート基材の裏面に形成された接着剤層とを備え、車両の仕様や予め実測された寸法に基づいて、平面プロッター等の裁断手段によって貼着後に切り離す余剰部分１２ａ，１２ａを含め、ドアキャッチ部４より上側の全体を覆う帯状に形成されている。
【００４０】
尚、上部シート１２の上下方向幅は、ドア部本体に貼着した際にシート本体１１の上縁部上に一部が重複して重ね合わされる長さになっている。
【００４１】
また、上部シート１２には、ドアキャッチ部４の位置に上部シート切り欠き部１５が形成され、シート貼着後にドアキャッチ部４に沿ってシートを切り取る必要がない。
【００４２】
上部シート切り欠き部１５は、ドアキャッチ部４の形状に合わせて矩形孔状に形成されている。
【００４３】
シート基材は、塩化ビニル系、ポリオレフィン系等の合成樹脂によってシート状に形成され、表面に着色背景及びドア部表面に記載された義務表示、即ち、「事業者名」、「ＴＡＸＩ（タクシー）」、「禁煙（禁煙マーク）」等の表示と同様の記載（以下、義務表示印刷１６という）が印刷されるとともに、表面がラミネートフィルムによって被覆されている。
【００４４】
また、シート基材には、所定の位置(本実施例では、上縁部の両端部)に位置決め用の目印１８，１８が印刷されている。位置決め用の目印１８，１８の態様は、特に限定されないが、例えば、本実施例のように所謂トンボ（目印用の十字線）を設けるようにしてもよい。
【００４５】
接着剤層は、再剥離性可能な微粘着性を有するアクリル系、ウレタン系等の接着剤にて構成され、貼着後に上部シート１２をドア部本体から容易に剥がすことができ、広告シート１０の張り替え作業等を効率よく行うことができる。
【００４６】
また、このような再剥離可能な接着剤を用いることによって、広告シート１０を剥がした際のドア部本体への接着剤の残存、ドア部本体の塗装の剥離及び汚れを防止することができる。
【００４７】
尚、接着剤層の裏面（上部シート１２のシート基材とは反対側の面）には、剥離シートが貼り合わされ、ドア部本体に貼着する際に剥離シートを接着剤層から剥離させるようになっている。
【００４８】
この上部シート１２をドア部２，３に貼着するには、図３（ｃ）に示すように、上縁の位置決め用目印１８，１８をドア部表面の上縁、即ち、フェンダー６の下縁の位置に合わせるとともに、上部シート切り欠き部１５をドアキャッチ部４の位置に合わせることによって位置決めされ、下縁部及び上部シート切り欠き部１５をそれぞれシート本体１１の上縁部及び本体切り欠き部１３に重ね合わせてドア部本体の表面に貼着し、必要に応じて余剰部分１２ａ，１２ａをドア部２，３の縁部に沿って切断する。
【００４９】
このように構成された広告シート１０は、シート本体１１及び上部シート１２にそれぞれ本体切り欠き部１３及び上部シート切り欠き部１５が形成されているとともに位置決め用目印１７，１８が形成されているので、位置決めが容易であって熟練が不要であるとともに貼着作業の時間短縮を図ることができる。
【００５０】
また、この広告シート１０は、予めドアキャッチ部４に対応する位置に切り欠き部１３，１５が設けられているので、シート貼着後にカッター等を用いてドアキャッチ部４位置のシートを切り取る必要がなく、ドア部本体を傷つけることがない。
【００５１】
さらに、上部シート１２は、その上縁をドア部表面の上縁、即ち、フェンダー６の下縁の位置に合わせて貼着することによって、好適に位置決めされ、シート本体１１との境界部を美麗に仕上げることができ、その分、シート本体１１と上部シート１２との重複部分の面積を小さくすることができる。
【００５２】
また、シート本体１１との境界部を美麗に仕上げることができるので、シート本体１１と上部シート１２との着色背景を同色とした場合には、広告シート１０全体を一枚のシートであるように見せることができ、シート本体１１と上部シート１２との着色背景を異なる色とした場合には、境界を美麗に形成することができる。
【００５３】
さらに、この広告シート１０では、ドア部表面にカッティングシートによって表示された義務表示５と同様の記載が印刷されているので、義務表示の要求を満たしつつ、既存の義務表示の位置によって広告可能な範囲が制限されず、自由度の高い広告を表示することができる。
【００５４】
尚、上述の実施例では、義務表示印刷１６を上部シート１２に印刷した場合について説明したが、義務表示印刷１６の態様は、上述の実施例に限定されず、例えば、義務表示印刷１６をシート本体１１に印刷してもよい。
【００５５】
また、本体切り欠き部１３及び上部シート切り欠き部１５の態様は上述の実施例に限定されず、ドアキャッチ部４の位置や形状によって適宜形状を選定することができる。例えば、上述の実施例では、本体切り欠き部１３をシート本体１１の上縁に凹状に形成した例について説明したが、シート本体１１がドアキャッチ部４全体を覆う場合には矩形孔状に形成してもよく、上部シート１２の上下幅が小さい場合には、上部シート切り欠き部１５を上部シート１２の下縁に沿って凹状に形成してもよい。
【００５６】
さらに、上述の実施例では、本考案をセダンタイプのタクシー１に適用した場合について説明したが、本考案は、タクシーに使用される全ての車両に適用することができる。
【符号の説明】
【００５７】
１  タクシー
２  前席ドア部
３  後席ドア部
４  ドアキャッチ部
５  義務表示
６  フェンダー
１０  タクシー用広告シート
１１  シート本体
１２  上部シート
１３  本体切り欠き部
１４  広告表示
１５  上部シート切り欠き部
１６  義務表示印刷
【図１】
0003233091.tif 000003
【図２】
0003233091.tif 000004
【図３】
0003233091.tif 000005
【図４】
0003233091.tif 000006